(57)【要約】      （修正有）【課題】変更可能な発光模様を有する靴のアッパー構造を提供する。【解決手段】アッパー２０の下にインソールを結合し、インソールを発光靴底１０の上に結合した靴３０のアッパー構造であり、発光靴底１０には発光装置４０、アッパー２０には発光構造５０が内蔵され、発光装置４０が光を発すると、発光靴底１０の伝導により、発光構造５０の底部５０ａが光を受け、光線が下から上へと、てっぺん５０ｂまで伝導され、全体が光を受けるように設けられ、アッパー２０の外層には、透かし彫りフレーム２４が設けられ、更に、透かし彫りフレーム２４を覆うための遮光板７０が設けられ、遮光板７０は透かし模様７１を備えてなり、発光構造５０が光を受けると、透かし模様７１が、内から外へとむかう光により透かして見られる。随時交換可能な遮光板７０により、異なる透かし模様７１が生じられ、新しさ、ユニークさ、夜間警告、商品の個性化という効果を靴３０に持たせることができる。【選択図】図１
0003230793.tif 000002
【実用新案登録請求の範囲】
【請求項１】
アッパー（２０）の下にインソール（２２）を結合し、前記インソール（２２）を更に、発光靴底（１０）の上に結合して、靴（３０）に設けられるが、前記発光靴底（１０）には発光装置（４０）が内蔵、前記発光装置（４０）が光を発すると、光線が発光靴底（１０）内に入射し、更に、内から外へと、発光靴底（１０）全体に伝導されるように設けられ、前記アッパー（２０）には発光構造（５０）が内蔵、前記発光構造（５０）の底部（５０ａ）は、アッパー（２０）底の下まで突き出すように延伸し、前記発光靴底（１０）に接触するように設けられ、前記発光靴底（１０）が光を受けると、光線が発光構造（５０）の底部（５０ａ）を通じて、下から上へと、てっぺん（５０ｂ）まで伝導され、発光構造（５０）全体が光を受けるように設けられ、
前記アッパー（２０）の外層には、前記発光構造（５０）に対応るための透かし彫りフレーム（２４）が設けられ、更に透かし彫りフレーム（２４）全体を覆うための遮光板（７０）が設けられ、前記遮光板（７０）は、完全遮光又は半遮光の性質を有し、発光構造（５０）に向かって接触し、透かし模様（７１）を備えてなり、発光構造（５０）が光を受けると、透かし模様（７１）より、内から外へと、光に透かして見せられることを特徴とする変更可能な発光模様を有するアッパー構造。
【請求項２】
前記透かし彫りフレーム（２４）の縁部には、内外ダブルクリップ式のクリップスロット（２５）があり、前記遮光板（７０）の外周縁を、前記クリップスロット（２５）内に挿入して固定するように設けられることを特徴とする請求項１に記載の変更可能な発光模様を有するアッパー構造。
【請求項３】
前記アッパー（２０）には透かし彫りフレーム（２４）の四周に複数の通り穴（２６）、前記遮光板（７０）には前記通り穴（２６）に対応する複数の突起部（７２）が設けられ、前記突起部（７２）を、それに対応する通り穴（２６）内に嵌め込んで、遮光板（７０）を固定するように設けられることを特徴とする請求項１に記載の変更可能な発光模様を有するアッパー構造。
【請求項４】
前記透かし彫りフレーム（２４）の縁部内には階段状の凹溝（２７）、前記遮光板（７０）縁部の外側には階段状の突出部（７３）が設けられ、前記突出部（７３）をそれに対応する凹溝（２７）に嵌め込んで、遮光板（７０）を固定するように設けられることを特徴とする請求項１に記載の変更可能な発光模様を有するアッパー構造。
【請求項５】
前記アッパー（２０）の外側には外環シート（２８）が増設され、前記外環シート（２８）には前記透かし彫りフレーム（２４）に対応する穴（２８１）が設けられ、前記外環シート（２８）の内側は、アッパー（２０）の部分と結合するが、結合していない部分は、遮光板（７０）の外縁を挿入してから、固定するための隙間に設けられることを特徴とする請求項１に記載の変更可能な発光模様を有するアッパー構造。
【請求項６】
前記透かし彫りフレーム（２４）外側面の縁部と、前記遮光板（７０）内側面の縁部とは、両面接着シート（７５）で張り合わせて、固定されることを特徴とする請求項１に記載の変更可能な発光模様を有するアッパー構造。
【請求項７】
前記透かし模様（７１）は次のように、文字商標、図形商標、タトゥー、柄模様、符号、英文字、数字、名前の何れかの一つ、又はその組み合わせであることを特徴とする請求項１に記載の変更可能な発光模様を有するアッパー構造。
【請求項８】
前記発光構造（５０）の背面には、光源を反射する反射シート（５２）が設けられ、前記反射シート（５２）と発光構造（５０）は貼り合せるように設けられることを特徴とする請求項１に記載の変更可能な発光模様を有するアッパー構造。
【請求項９】
前記透かし彫りフレーム（２４）は次のように、アッパー（２０）の靴の左側、アッパー（２０）の靴の内側、アッパー（２０）の靴の後側の何れかの一つの位置に設けられることを特徴とする請求項１に記載の変更可能な発光模様を有するアッパー構造。
【考案の詳細な説明】
【技術分野】
【０００１】
本考案は、発光可能なアッパー構造に関わり、特に、発光靴底を結合して、単色光又は変化可能な発光色を見せるためのアッパー構造に関する。
【背景技術】
【０００２】
発光靴は一般的に、主に靴底は光り、アッパーは光らないように設けられることから、どうやって、アッパーにも発光機能を持たせるのが、既存在問題の一つ目である。
【０００３】
従来のアッパーには通常、文字、図案、タトゥー、花柄など、何らかの模様が設けられ、それらの模様は光らないもので、夜には、アッパーにある模様がよく見られないことで、どうやって、夜にもそれらの模様を見せるのが、既存問題の二つ目である。
【０００４】
アッパーが発光するには、給電する電池が必要となり、発光体に電気を供給して、発光させるように設けられる。しかし、電池は大きくて、アッパーに内蔵できないもので、靴底に設けなければならないことだが、発光体はアッパーに内蔵された場合、電池との間に電線で接続することとなり、そこで、激しく跳ねたり、振動したりしているとき、電線とその両端の接点に断裂などが生じやすくなる、という短絡の発生を防ぐのが既存問題の三つ目である。
【０００５】
上述した問題について、考案者が既に解決したことであり、それは、アッパー内には薄いシート状の発光構造が内蔵、発光構造の外側に対応するための透かし模様がアッパーに設けられ、靴底内の発光体が光を発すると、前記発光構造より光線を下から上へ伝導し、それに伴い、アッパーにある透かし模様が光を受けて、そこから、単色光、又は変化可能な発光色を外に見せることから、アッパーから発光された光の模様で、特に夜間警告、図案の目立ちという効果を果たすことができる。当該考案は既に特許出願された、中国特許出願番号２０１７２１２９６７３６．３、「発光構造を有するアッパー」である。
【考案の概要】
【考案が解決しようとする課題】
【０００６】
但し、前記透かし模様は、アッパーに永久的に固定され、任意に交換や変更ができないもので、新しさ、流行、ブランドを求めるユーザにとって、マンネリ感がするものである。例えば、アッパーの透かし模様は英文字ＡＢＣである場合、アッパーに永久的に固定されもので、英文字ＸＹＺに変わることできないため、どうやって、アッパーにある透かし模様を随時変更できるのか、本考案の解決しようとする主な課題である。
【０００７】
本考案は、上述した既存の問題点を解決するため、変更可能な発光模様を有するアッパー構造を提供することを目的とする。
【課題を解決するための手段】
【０００８】
前記問題点を解決でき、上記目的を達成するために、本考案の変更可能な発光模様を有するアッパー構造は、
アッパーの下にインソールを結合し、前記インソールを更に、発光靴底の上に結合して、靴に設けられるが、前記発光靴底には発光装置が内蔵、前記発光装置が光を発すると、光線が発光靴底内に入射し、更に、内から外へと、発光靴底全体に伝導されるように設けられ、前記アッパーには発光構造が内蔵、前記発光構造の底部は、アッパー底の下まで突き出すように延伸し、前記発光靴底に接触するように設けられ、前記発光靴底が光を受けると、光線が発光構造の底部を通じて、下から上へと、てっぺんまで伝導され、発光構造全体が光を受けるように設けられ、
前記アッパーの外層には、前記発光構造に対応るための透かし彫りフレームが設けられ、更に透かし彫りフレーム全体を覆うための遮光板が設けられ、前記遮光板は、完全遮光又は半遮光の性質を有し、発光構造に向かって接触し、透かし模様を備えてなり、発光構造が光を受けると、透かし模様より、内から外へと、光に透かして見せられる。
【０００９】
前記透かし彫りフレームの縁部には、内外ダブルクリップ式のクリップスロットがあり、前記遮光板の外周縁を、前記クリップスロット内に挿入して固定するように設けられることが好ましい。
【００１０】
前記アッパーには透かし彫りフレームの四周に複数の通り穴、前記遮光板には前記通り穴に対応する複数の突起部が設けられ、前記突起部を、それに対応する通り穴内に嵌め込んで、遮光板を固定するように設けられることが好ましい。
【００１１】
前記透かし彫りフレームの縁部内には階段状の凹溝、前記遮光板縁部の外側には階段状の突出部が設けられ、前記突出部をそれに対応する凹溝に嵌め込んで、遮光板を固定するように設けられることが好ましい。
【００１２】
前記アッパーの外側には外環シートが増設され、前記外環シートには前記透かし彫りフレームに対応する穴が設けられ、前記外環シートの内側は、アッパーの部分と結合するが、結合していない部分は、遮光板の外縁を挿入してから、固定するための隙間に設けられることが好ましい。
【００１３】
前記透かし彫りフレーム外側面の縁部と、前記遮光板内側面の縁部とは、両面接着シートで張り合わせて、固定されることが好ましい。
【００１４】
前記透かし模様は次のように、文字商標、図形商標、タトゥー、柄模様、符号、英文字、数字、名前の何れかの一つ、又は．その組み合わせであることが好ましい。
【００１５】
前記発光構造の背面には、光源を反射する反射シートが設けられ、前記反射シートと発光構造は貼り合せるように設けられることが好ましい。
【００１６】
前記透かし彫りフレームは次のように、アッパーの靴の左側、アッパーの靴の内側、アッパーの靴の後側の何れかの一つの位置に設けられることが好ましい。
【考案の効果】
【００１７】
本考案は従来の技術に対して、次のような効果がある。
１．本考案では、随時交換可能な遮光板の使用に伴い、透かし模様が変更できるように設けられ、変更可能な透かし模様を利用して、アッパーには更に多く異なる透かし模様の変化を見せて、新しさ、ユニークさ、夜間警告、商標の目立ち、及び商品の個性化という機能を果たせる。
２．本考案では、遮光板を用い、透かし彫りフレームを覆って、永久的でなく一時的に固定するように設けられ、前記遮光板は、透かし彫りフレームに、取り付け又は取り外しが簡単に行われるため、遮光板の脱着が簡単かつ素早く行われる。
３．本考案の遮光板は、シート状の非光透過又は光半透過プラスチックであり、発光構造が光を受けたとき、非光透過プラスチックである場合、その光線が完全に遮断され、光半透過プラスチックである場合、その光線がやや入射して、光半透過の状態になる。
４．本考案では、遮光板を透かし彫りフレームから取り外したとき、前記透かし彫りフレームから透かし彫り模様を見せ、透かし彫りフレーム内の発光構造が露出されるように設けられ、発光構造が光を受けると、透かし彫りフレーム内から、外へ光に透かして見られ、夜間になると、光を発して警告効果を果たす。
【図面の簡単な説明】
【００１８】
【図１】本考案の実施形態１のアッパーと発光靴底を分解したときの立体図を示す。
【図２】本考案のアッパーと発光靴底を分解したときの立体図で、アッパーから遮光板を分解した状態をも示す。
【図３】実施形態１の靴の横断面図で、発光靴底が光る状態を示す。
【図４】実施形態２の靴の横断面図を示す。
【図５】実施形態３の靴の横断面図を示す。
【図６】実施形態４の靴の横断面図を示す。
【図７】実施形態５の靴の横断面図を示す。
【図８】実施形態６の靴の横断面図を示す。
【図９】遮光板が透かし彫りフレームから取り外され、発光靴底と発光構造が光る状態を示す。
【図１０】本考案の発光模様変更可能なアッパーを有する靴の構造図を示す。
【考案を実施するための形態】
【００１９】
図１〜図３に示すように、アッパー２０の下にインソール２２を結合し、前記インソール２２を更に、発光靴底１０の上に結合して、靴３０に設けられるが、前記発光靴底１０は、優れた光透過性と導光性を備えてなるゴム靴底であり、発光装置４０を入れるための切り込み１１がプリセットされ、発光装置４０が光を発すると、光線が切り込み１１内壁から、発光靴底１０の内部に入射し、更に、切り込み１１を中心として四周に拡散し、発光靴底１０の外周に伝導され、発光靴底１０全体の上下や四周が明るく光るように設けられる。考案者より出願された中国特許出願番号２０１７２０６６１５２９．７「切り込み構造を有する発光靴底」を参照のこと。
【００２０】
前記発光装置４０は透明・防水筐体４１で、プリント基板４２と、ＬＥＤ発光ユニット４３と、電池４４と充電モジュール４５とが内蔵され、リモコン（未図示）で、発光装置４０の変化を制御するように設けられ、ＬＥＤ発光ユニット４３は、筐体４１内の四周に設けられ、前記発光装置４０は発光靴底１０を組み合わせて実施されるが、切り込み１１から随時、取り外しや取付けが可能であり、取り外されたとき、独立した携帯用照明ライトとして用いられる。その構造、作用や效果について、考案者より出願された中国特許出願番号２０１７２１１６１９８４．７「スマート発光装置」を参照のこと。
【００２１】
図２、図３に示すように、前記アッパー２０の下にインソール２２を結合し、前記インソール２２には、前記切り込み１１の上下の位置に対応する窓付きカバー２３が設けられ、窓付きカバー２３を上に開けると、発光装置４０を切り込み１１に取り付け、又は取り外すように設けられ、窓付きカバー１１を平らな状態に戻して、一般的な中敷６０をインソール２２にある窓付きカバー２３に平らに敷くように設けられる。
【００２２】
前記アッパー２０内には、シート状の発光構造５０が内蔵、前記発光構造５０の底部５０ａは、アッパー２０の下まで突き出すように延伸し、発光装置４０に向かうように、発光靴底１０にプリセットされた縦向き切り込み１２内に嵌め入られ、又は、アッパー２０の下まで突き出すように延伸してから、発光靴底１０の頂面に接触するよう、内側に折れて、インソール２２の下に平らに敷くように設けられる（図４）が、発光装置４０が光を発すると、発光靴底１０の受けた光が四周に伝導され、前記光線は、発光構造５０の底部５０ａから上へと、てっぺん５０ｂまで伝導され、発光構造５０全体が光を受けるように設けられる。前記発光構造５０は、薄いシート状の導光板など多種のタイプがあり、次のように、ポリエチレンテレフタラート（ＰＥＴ）、ポリカーボネート（ＰＣ）、熱可塑性ポリウレタン（ＴＰＵ）、又はアクリル樹脂（ＰＭＭＡ）の一つ、又は組み合わせの材質で作られる。
【００２３】
前記発光構造５０は、一列に並ぶ数本の導光バンド（未図示）、又は発光糸（未図示）に取り代わってもよく、前記発光糸は、縦糸と横糸を織り成し、縦糸及び／又は横糸は、発光機能を有するものである。上述した発光構造５０の構造や作用、効果について、考案者より出願された中国特許出願番号２０１７２１２９６７３６．３「発光構造を有するアッパー」を参照のこと。
【００２４】
図２、図３に示すように、本考案では、前記アッパー２０の外層には、前記発光構造５０に対応するための透かし彫りフレーム２４が設けられ、更に遮光効果を有する遮光板７０が設けられ、前記遮光板７０は、発光構造５０に向かって接触し、薄いシート状で、透かし彫りフレーム２４全体を覆い、透かし模様７１を備えてなり、発光構造５０が光を受けると、前記遮光板７０の透かし模様７１より、内から外へと、光に透かして見せられることを特徴とする。
【００２５】
前記遮光板７０は、シート状の非光透過又は光半透過プラスチックであり、非光透過プラスチックでは、光線を完全に遮断し、光半透過プラスチックでは、光線がやや入射して、光半透過の状態を見せる。
【００２６】
前記遮光板７０にある透かし模様７１は次のように、文字商標、図形商標、タトゥー、柄模様、符号、英文字、数字、名前の何れかの一つ、又はその組み合わせに設けられる。図１、図２を例とし、透かし模様７１は７つの英文字「ＩＧＬＩＴＺＳ」からなる文字商標であり、発光装置４０が光を発すると、光線が発光靴底１０より伝導され、更に発光構造５０の底部５０ａからてっぺん５０ｂまで伝導され、発光構造５０全体が光を受けるように設けられ、前記発光構造５０の光は、遮光板７０に遮断され、肉眼では、発光構造５０が光っているのを見ることができないが、透かし模様７１だけは、内から外へと、文字商標「ＩＧＬＩＴＺＳ」を光に透かして見せられ、夜になると、特に顕著で明るく見れる。
【００２７】
前記発光装置４０では、赤、青、黄、橙、緑などの単色光を発し、リモコンで発光装置４０を制御して、変化可能な発光色を見せるように設けられることから、発光靴底１０と透かし模様７１を用いて、発光装置４０の発光色に応じて、変化可能な発光色の透かしを見せることができる。例えば、発光装置４０が青い光を発すると、透かし模様７１から青い色を見せることで、発光装置４０は順次点灯により、発光色を変えるように設けられ、それに伴い、透かし模様７１からも同時に発光色が変化するように見せる。
【００２８】
前記遮光板７０を用いて、透かし彫りフレーム２４を覆うには、次のように幾つかのパタンがある。図３、図４に示すように、前記透かし彫りフレーム２４四周の縁部には、内外ダブルクリップ式のクリップスロット２５が設けられ、前記遮光板７０の外周縁７４を前記クリップスロット２５内に挿入して固定するように設けられ、遮光板７０の外周縁７４は、前記クリップスロット２５内に挿入されているから、永久的ではなく一時的に固定されているため、遮光板７０は随時変更可能で、簡単に交換できる。
【００２９】
図５に示すように、前記アッパー２０には透かし彫りフレーム２４の四周には複数の通り穴２６、前記遮光板７０には前記通り穴２６に対応するための複数の突起部７２が設けられ、前記突起部７２を嵌入通り穴２６内に嵌め込んで、遮光板７０を透かし彫りフレーム２４に一時的に固定することができる。
【００３０】
図６に示すように、前記透かし彫りフレーム２４の縁部内には、階段状の凹溝２７、前記遮光板７０縁部の外側には階段状の突出部７３が設けられ、前記突出部７３をそれに対応する凹溝２７内に嵌め込んで、遮光板７０を透かし彫りフレーム２４に一時的に固定することができる。
【００３１】
図７に示すように、前記アッパー２０の外側には外環シート２８が増設、前記外環シート２８には前記透かし彫りフレーム２４に対応する穴２８１が設けられ、前記外環シート２８の内側面は、アッパー２０の部分と結合するが、結合していない部分は、遮光板７０の外縁を挿入してから、固定するための隙間に設けられることから、遮光板７０を透かし彫りフレーム２４に一時的に固定することができる。
【００３２】
図８に示すように、前記透かし彫りフレーム２４の外側縁を両面接着シート７５と結合し、前記遮光板７０の内側縁を前記両面接着シート７５に貼り合わせて、一時的に固定することができる。前記両面接着シート７５の接着性では、遮光板７０の複数回交換に対応可能であり、接着力不足の場合、両面接着シート７５の交換が可能であるから、該固定方法は最も簡単な実施形態である。
【００３３】
図９に示すように、前記遮光板７０を透かし彫りフレーム２４から取り外したとき、前記透かし彫りフレーム２４から透かし彫り模様を見せ、透かし彫りフレーム２４内の発光構造５０が露出されるが、発光構造５０が光を受けると、透かし彫りフレーム２４内から、外へ光に透かして見せられ、アッパーは部分的に光って、夜間の警告効果を果たすように設けられる。
【００３４】
前記透かし彫りフレーム２４、発光構造５０と遮光板７０は、アッパー２０の左側面又は右側面に設けられるが、図１０に示すように、その後側面に設けられてもよい。前記発光構造５０の背面には、光源を反射する反射シート５２が設けられ、両者を貼り合わせて、反射シート５２で実施された場合、導光板５１の光線を全部、遮光板７０の方向へ射出しても、光線の拡散による減衰が生じないように設けられる。
【００３５】
上述したのは本考案に関する具体的な説明であり、それを以って特許請求範囲を制限してはならないとし、本考案の要旨を逸脱せず行なわれた実施や変更を行なって、それと同じ効果を得ても、全て本考案の請求範囲に含まれるものとする。
【符号の説明】
【００３６】
１０  発光靴底
１１  切り込み
１２  窓付きカバー
２０  アッパー
２２  インソール
２３  窓付きカバー
２４  透かし彫りフレーム
２５  クリップスロット
２６  通り穴
２７  凹溝
２８  外環シート
２８１  穴
３０  靴
４０  発光光装置
４１  防水筐体
４２  プリント基板
４３  ＬＥＤ発光ユニット
４４  電池
４５  充電モジュール
５０  発光構造
５０ａ  底部
５０ｂ  てっぺん
５１  導光板
５２  反射シート
６０  中敷
７０  遮光板
７１  透かし模様
７２  突起部
７３  突出部
７４  外周縁
７５  両面接着シート
【図１】
0003230793.tif 000003
【図２】
0003230793.tif 000004
【図３】
0003230793.tif 000005
【図４】
0003230793.tif 000006
【図５】
0003230793.tif 000007
【図６】
0003230793.tif 000008
【図７】
0003230793.tif 000009
【図８】
0003230793.tif 000010
【図９】
0003230793.tif 000011
【図１０】
0003230793.tif 000012